【手続補正書】
【提出日】令和1年10月16日(2019.10.16)
【手続補正１】
【補正対象書類名】明細書
【補正対象項目名】００５３
【補正方法】変更
【補正の内容】
【００５３】
特許請求された主題の趣旨及び範囲から逸脱することなく、記載した実施形態に様々な変更及び変形を行うことができることは、当業者には明らかなはずである。したがって、そのような変更及び変形が添付の特許請求の範囲及びその均等物の範囲内にある場合に、本明細書は、記載した様々な実施形態の変更及び変形を包含することが意図される。
以下、本願発明の実施形態を示す。
（実施形態１）
長鎖芳香族を含む石油系組成物からパラフィンを生成する方法において、
超臨界水流を、加圧し加熱した石油系組成物と混合して、合わせた供給流を作製するステップであって、
前記超臨界水流は、水の臨界圧を超える圧力及び水の臨界温度を超える温度にあり、
前記加圧し加熱した石油系組成物は、前記水の臨界圧を超える圧力及び７５℃を超える温度にある、作製するステップと、
前記合わせた供給流を第１の反応器に、前記第１の反応器の入口を通して導入するステップであって、前記第１の反応器は、前記水の臨界温度を超える第１の温度及び前記水の臨界圧を超える第１の圧力で作動する、導入するステップと、
前記第１の反応器において前記長鎖芳香族の少なくとも一部分を分解して、第１の反応器の生成物を形成するステップであって、前記第１の反応器の生成物は、水、パラフィン、短鎖芳香族、オレフィン、及び未変換長鎖芳香族を含む、形成するステップと、
前記第１の反応器の生成物を第２の反応器に、前記第２の反応器の上部入口を通して導入するステップであって、前記第２の反応器は、前記第１の温度未満であるが前記水の臨界温度を超える第２の温度及び前記水の臨界圧を超える第２の圧力で作動し、
前記第２の反応器は、前記上部入口、下部出口、及び前記上部入口と前記下部出口との間に配置された中央部出口を備えたダウンフロー反応器であり、
前記第２の反応器は、前記第１の反応器の容積以下の容積を有し、
中央部出口の生成物は、前記第２の反応器から前記中央部出口を通して排出され、前記中央部出口の生成物は、パラフィン及び短鎖芳香族を含み、
下部出口の生成物は、前記第２の反応器から前記下部出口を通して排出され、前記下部出口の生成物は、多環芳香族及びオリゴマー化オレフィンを含む、導入するステップと、
前記中央部出口の生成物を２００℃未満の温度に冷却するステップと、
前記冷却した中央部出口の生成物の圧力を低下させて、０．０５ＭＰａ〜２．２ＭＰａの圧力を有する、冷却し減圧した中央部流を作製するステップと、
前記冷却し減圧した中央部流を、気相流と液相流とに少なくとも部分的に分割するステップであって、前記液相流は、水、短鎖芳香族、及びパラフィンを含む、分割するステップと、
前記液相流を、水含有流と油含有流とに少なくとも部分的に分割するステップであって、前記油含有流は、パラフィン及び短鎖芳香族を含む、分割するステップと、
前記パラフィン及び前記短鎖芳香族を、前記油含有流から少なくとも部分的に分割するステップと
を含む方法。
（実施形態２）
前記パラフィン及び前記短鎖芳香族を抽出ユニットにおいて分割するステップをさらに含む、実施形態１に記載の方法。
（実施形態３）
前記抽出ユニットが溶媒抽出ユニットである、実施形態２に記載の方法。
（実施形態４）
前記抽出ユニットの上流に蒸留カラムをさらに含む、実施形態２または３に記載の方法。
（実施形態５）
前記第１の反応器及び前記第２の反応器には、水素ガス及び触媒の外部供給がない、実施形態１〜４のいずれか１つに記載の方法。
（実施形態６）
前記第１の反応器の容積対前記第２の反応器の容積の比が、標準周囲温度及び圧力において、０．１：１〜１：１である、実施形態１〜５のいずれか１つに記載の方法。
（実施形態７）
前記下部出口の生成物を機械式ミキサーに運ぶステップをさらに含む、実施形態１〜６のいずれか１つに記載の方法。
（実施形態８）
前記多環芳香族がアスファルテンを含む、実施形態１〜７のいずれか１つに記載の方法。
（実施形態９）
前記第２の反応器の前記下部出口に、詰まり除去液を注入するステップをさらに含む、実施形態１〜８のいずれか１つに記載の方法。
（実施形態１０）
前記詰まり除去液がトルエンを含む、実施形態９に記載の方法。
（実施形態１１）
前記下部出口が連続的に開放されない、実施形態１〜１０のいずれか１つに記載の方法。
（実施形態１２）
前記中央部出口の生成物が、１重量パーセント未満のオレフィンを含む、実施形態１〜１１のいずれか１つに記載の方法。
（実施形態１３）
前記石油系組成物が、常圧残油、減圧軽油、または減圧残油を含む、実施形態１〜１２のいずれか１つに記載の方法。
（実施形態１４）
前記超臨界水流及び前記加圧し加熱した石油系組成物がそれぞれ流量を規定し、前記超臨界水流の流量と前記加圧し加熱した石油系組成物の流量の比が、標準周囲温度及び圧力において、５：１〜１：１である、実施形態１〜１３のいずれか１つに記載の方法。
（実施形態１５）
前記第１の反応器、前記第２の反応器、またはその両方が、かき混ぜ装置または撹拌装置を備える、実施形態１〜１４のいずれか１つに記載の方法。
【手続補正２】
【補正対象書類名】特許請求の範囲
【補正対象項目名】全文
【補正方法】変更
【補正の内容】
【特許請求の範囲】
【請求項１】
長鎖芳香族を含む石油系組成物からパラフィンを生成する方法において、
（ｉ）超臨界水流を、加圧し加熱した石油系組成物と混合して、合わせた供給流を作製するステップであって、
前記加圧し加熱した石油系組成物は、水の臨界圧を超える圧力及び７５℃を超える温度にある、作製するステップと、
（ｉｉ）前記合わせた供給流を第１の反応器に、前記第１の反応器の入口を通して導入するステップであって、前記第１の反応器は、前記水の臨界温度を超える第１の温度及び前記水の臨界圧を超える第１の圧力で作動する、ステップと、
（ｉｉｉ）前記第１の反応器において前記長鎖芳香族の少なくとも一部分を分解して、第１の反応器の生成物を形成するステップであって、前記第１の反応器の生成物は、水、パラフィン、短鎖芳香族、オレフィン、及び未変換長鎖芳香族を含む、ステップと、
（ｉｖ）前記第１の反応器の生成物を第２の反応器に、前記第２の反応器の上部入口を通して導入するステップであって、前記第２の反応器は、前記第１の温度未満であるが前記水の臨界温度を超える第２の温度及び前記水の臨界圧を超える第２の圧力で作動し、
前記第２の反応器は、前記上部入口、下部出口、及び前記上部入口と前記下部出口との間に配置された中央部出口を備えたダウンフロー反応器であり、
前記第２の反応器は、前記第１の反応器の容積以下の容積を有し、
中央部出口の生成物は、前記第２の反応器から前記中央部出口を通して排出され、前記中央部出口の生成物は、パラフィン及び短鎖芳香族を含み、
下部出口の生成物は、前記第２の反応器から前記下部出口を通して排出され、前記下部出口の生成物は、多環芳香族及びオリゴマー化オレフィンを含む、ステップと、
（ｖ）前記中央部出口の生成物を２００℃未満の温度に冷却するステップと、
（ｖｉ）前記冷却した中央部出口の生成物の圧力を低下させて、０．０５ＭＰａ〜２．２ＭＰａの圧力を有する、冷却し減圧した中央部流を作製するステップと、
（ｖｉｉ）前記冷却し減圧した中央部流を、気相流と液相流とに分離するステップであって、前記液相流は、水、短鎖芳香族、及びパラフィンを含む、ステップと、
（ｖｉｉｉ）前記液相流を、水含有流と油含有流とに分離するステップであって、前記油含有流は、パラフィン及び短鎖芳香族を含む、ステップと、
（ｉｘ）前記油含有流を、前記パラフィンを含む流れと前記短鎖芳香族を含む流れに、分離するステップと
を含む方法。
【請求項２】
前記油含有流を分離するステップが、抽出ユニットにおいて行われる、請求項１に記載の方法。
【請求項３】
前記抽出ユニットが溶媒抽出ユニットである、請求項２に記載の方法。
【請求項４】
前記油含有流を分離するステップが、前記抽出ユニットの上流に蒸留ユニットをさらに含む、請求項２または３に記載の方法。
【請求項５】
前記第１の反応器及び前記第２の反応器には、触媒および水素ガスの外部供給がない、請求項１〜４のいずれか１項に記載の方法。
【請求項６】
前記第１の反応器の容積対前記第２の反応器の容積の比が、標準周囲温度及び圧力において、０．１：１〜１：１である、請求項１〜５のいずれか１項に記載の方法。
【請求項７】
前記下部出口の生成物を機械式ミキサーに運ぶステップをさらに含む、請求項１〜６のいずれか１項に記載の方法。
【請求項８】
前記多環芳香族がアスファルテンを含む、請求項１〜７のいずれか１項に記載の方法。
【請求項９】
前記下部出口に、詰まり除去液を注入するステップをさらに含む、請求項１〜８のいずれか１項に記載の方法。
【請求項１０】
前記詰まり除去液がトルエンを含む、請求項９に記載の方法。
【請求項１１】
前記下部出口が連続的に開放されない、請求項１〜１０のいずれか１項に記載の方法。
【請求項１２】
前記中央部出口の生成物が、１重量パーセント未満のオレフィンを含む、請求項１〜１１のいずれか１項に記載の方法。
【請求項１３】
前記石油系組成物が、常圧残油、減圧軽油、または減圧残油を含む、請求項１〜１２のいずれか１項に記載の方法。
【請求項１４】
前記超臨界水流の流量と前記加圧し加熱した石油系組成物の流量の比が、標準周囲温度及び圧力において、５：１〜１：１である、請求項１〜１３のいずれか１項に記載の方法。
【請求項１５】
前記第１の反応器、前記第２の反応器、またはその両方が、かき混ぜ装置または撹拌装置を備える、請求項１〜１４のいずれか１項に記載の方法。